(57)【特許請求の範囲】
【請求項１】
便座上の測定者の臀部等が接触する位置に設けた複数の電極と、この電極間のインピ−ダンスを測定するインピ−ダンス検知手段と、このインピ−ダンス検知手段からの信号により体脂肪を演算する体脂肪換算手段と、この体脂肪換算手段の信号により体脂肪を表示する表示手段と、前記便座を加熱する便座加熱ヒ−タとを備え、前記電極は前記便座加熱ヒ−タと熱結合した便座。
【請求項２】
電極は、帯状に形成した請求項１記載の便座。
【請求項３】
電極は、角度をつけて配置した請求項１または２のいずれか１項に記載の便座。
【請求項４】
電極は、位置を変更できる位置可変手段を設けた請求項１から３のいずれか１項に記載の便座。
【発明の詳細な説明】
【０００１】
【発明の属する技術分野】
本発明は、便座に着座することによって着座者の体脂肪を測定できる便座に関するものである。
【０００２】
【従来の技術】
近年、国民の健康意識が高まり、一般家庭内においても健康計測機器が取り入れられ使用されてきている。この健康計測機器の中で、人体のインピ−ダンスを測定して体脂肪を表示する計器が開発されている。この種の体脂肪計は、手と手間または、足と足間のインピ−ダンスを測定して体脂肪率が計測できるものである。
【０００３】
図５は、この種従来の体脂肪計の構成を示すブロック図である。測定者の体脂肪を測る左手電極１および右手電極２と、前記左右の電極１、２間のインピ−ダンスを測るインピ−ダンス検知手段３と、このインピ−ダンス検知手段３からの信号により測定者の体脂肪を演算する体脂肪換算手段４と、前記体脂肪換算手段４で求めた体脂肪を表示する表示手段５と、前記の各部に有線で電源を供給する電池６で体脂肪計が構成されている。
【０００４】
測定者が左手と右手で、各電極１および２を握る。そして、インピ−ダンス検知手段３は、左右電極１、２間に高周波電流を流し、この電極間の測定者の生体インピ−ダンスを測る。このインピ−ダンスは、体脂肪量によりインピ−ダンスが高くなる傾向を利用して予め体脂肪換算手段４へ入力していた体重値より体脂肪率を求めている。すなわち、インピ−ダンス検知手段３は、検知したインピ−ダンスの信号を体脂肪換算手段４へ送信する。そして、体脂肪換算手段４は体重値とインピ−ダンス値から体脂肪率を演算する。この演算した体脂肪率の信号を受けて表示手段５は、測定者に体脂肪率を表示する。
【０００５】
【発明が解決しようとする課題】
前記従来の体脂肪計を便座に組み込み、測定者が体脂肪を測るために、電極と臀部が接触する方式では、気温の低い環境で特に冬などで電極１、２が冷え、測定者が着座時に冷たいと云う不快感を生じる課題を有していた。
【０００６】
【課題を解決するための手段】
本発明は、便座上の測定者の臀部等が接触する位置にに設けた電極を、便座加熱ヒ−タと熱結合させて暖めることにより、着座時に電極による冷たい不快感を少なくして体脂肪を測定できる便座を提供するものである。
【０００７】
【発明の実施の形態】
本発明の請求項１に記載した発明は、便座上の測定者の臀部等が接触する位置に設けた複数の電極と、この電極間のインピ−ダンスを測定するインピ−ダンス検知手段と、このインピ−ダンス検知手段からの信号により体脂肪を演算する体脂肪換算手段と、この体脂肪換算手段の信号により体脂肪を表示する表示手段と、前記便座を加熱する便座加熱ヒ−タとを備え、前記電極は前記便座加熱ヒ−タと熱結合したものである。
【０００８】
前記電極は便座加熱ヒ−タの熱を受けて暖められるので、着座時に電極に触れても冷たく感じることは少なくなる。
【０００９】
また請求項２に記載した発明は、電極を帯状に形成したものである。測定者が着座の位置ずれを起こしたとしても、帯状の電極の幅で前記位置ずれを吸収し安定した計測を可能にする。
【００１０】
また請求項３に記載した発明は、角度をつけて電極を便座上に配置したものである。測定者が着座の位置ずれを起こしたとしても、電極の角度で前記位置ずれを吸収し安定した計測を可能にする。
【００１１】
また請求項４に記載した発明は、電極の位置を変更できる位置可変手段を設けたものである。測定者は電極を位置可変手段により設定し、自分の着座位置に合った電極位置で測定することが可能になる。
【００１２】
【実施例】
以下本発明の便座につき、図１〜図４を参照して説明する。
【００１３】
（実施例１）
図１は実施例１の便座の構成を示し、そのブロック図である。１０は電源として使用している電池、１１は便器１１ａ上に配置した便座、１２は便座１１上の左右にそれぞれ前後に間隔を持って設けた４個の電極で、排便等のため便座１１に着座した時に併せて体脂肪を測るため、測定者の臀部等が接触する。１３は各電極１２に結線したインピ−ダンス検知手段で、電極１２間の臀部等の生体インピ−ダンスを測る。１４は前記インピ−ダンス検知手段１３の検知したインピ−ダンス値と予め入力した体重値とから体脂肪率を演算する体脂肪換算手段で、１５は前記体脂肪換算手段１４で求めた体脂肪率を表示する表示手段である。１６は便座１１に設け、便座を加熱し保温する便座加熱ヒ−タで、１７は前記便座加熱ヒ−タ１６の温度を制御するヒ−タ制御手段である。そして、前記電極１２は前記便座加熱ヒ−タ１６と熱結合させた構成としており、常に便座加熱ヒ−タ１６により暖められている。なお、電極１２は４個にしているが、この数に限定されるものではなく、少なくとも複数個であれば良い。
【００１４】
以下実施例１の動作について説明する。電池１０から電源を供給されている便座加熱ヒ−タ１６はヒ−タ制御手段１７により制御され、便座１１を加熱し、保温している。そして、測定者が便座１１に着座して、測定開始のボタン（図示せず）を押すと体脂肪計の各部が動作を開始する。すなわち、インピ−ダンス検知手段１３により、電極１２間に高周波電流が流れる。この定電流は電極１２間にある人体を通して流れ、この電極１２間のインピ−ダンスに比例した電圧が発生する。この電極１２間の電圧を検出することで、人体のインピ−ダンスが測定できる。インピ−ダンス検知手段１３は、前記電圧の大きさを検出して体脂肪換算手段１４に信号を送る。体脂肪換算手段１４は、前記インピ−ダンス検知手段１３からの信号と予め入力されている体重値とから体脂肪率を演算する。そして表示手段１５は、前記演算の結果を表示し測定者に報知する。
【００１５】
このような体脂肪の測定にあって、一般に低い室温の場合には、電極の温度も低く、この状態で着座すると電極による冷たい不快感を測定者は受ける。
【００１６】
然るに実施例１の発明では各電極１２が便座加熱ヒ−タ１６により暖められているので、着座した測定者には電極１２に人体が触れても冷たく感じることを少なくできる。従って、特に冬等の極めて気温の低い環境でも快適に体脂肪を測定することができる。また、電極１２を暖めるのに便座加熱ヒ−タ１６を利用したので、安価にできるだけでなく、構成も簡単にできる。
【００１７】
（実施例２）
図２は実施例２の便座を示し、その平面図である。そして、実施例２の発明は、電極の形状を具体化した構成が、前記実施例１と異なるだけで、それ以外は同
じなので同一作用効果を奏する部分には実施例１と同一符号を付して詳細な説明を省略し、異なる部分を中心に説明する。
【００１８】
２１は便座１１上の左右にそれぞれ前後に間隔を持って設けた４個の電極で、一定の幅を有する帯状に形成し、排便等のため便座１１に着座した時に併せて体脂肪を測るため、測定者の臀部等が接触する際に位置ずれを起こしても確実に接触できるように構成している。
【００１９】
以下実施例２の動作について説明する。体脂肪の測定方法は前記実施例１と同様に行われる。そして、この測定時に便座１１上に着座する測定者の臀部等の位置は、皆それぞれバラツキがあるのが一般的である。このように測定者に着座の位置ずれが起きても各電極２１は一定の幅を有しているので、前記の位置ずれを吸収し、人体を確実に触れさせることができる。従って、測定者の着座の位置ずれがあっても安定して体脂肪の測定をすることができる。
【００２０】
なお、前記実施例の電極２１は、帯状の形状で一定の幅を持たせたが、この形状に限定されるものではなく、要は着座位置ずれを吸収できる形状であれば良い。
【００２１】
（実施例３）
図３は実施例３の便座を示し、その平面図である。そして、実施例３の発明は、電極の設置する角度を具体化した構成が、前記実施例１と異なるだけで、それ以外は同じなので同一作用効果を奏する部分には実施例１と同一符号を付して詳細な説明を省略し、異なる部分を中心に説明する。
【００２２】
３１は便座１１上の左右にそれぞれ前後に間隔を持って設けた４個の電極で、左右前側の電極３１はハの字状に配置し、左右後ろ側の電極３１は同一線上に配置してそれぞれ角度を持たせている。そして、この電極３１が角度を持って便座１１上に設けた理由は、排便等のため便座１１に着座した時に併せて体脂肪を測るため、測定者の臀部等が接触する際に位置ずれを起こしても確実に接触できるようにするためである。
【００２３】
以下実施例３の動作について説明する。体脂肪の測定方法は前記実施例１と同様に行われる。そして、この測定時に便座１１上に着座する測定者の臀部等の位置は、皆それぞれバラツキがあるのが一般的である。このように測定者に着座の位置ずれが起きても各電極３１は一定の角度を持って便座１１上に配置しているので、前記の位置ずれを吸収し、人体を確実に触れさせることができる。従って、測定者の着座の位置ずれがあっても安定して体脂肪の測定をすることができる。
【００２４】
（実施例４）
図４は実施例４の便座を示し、その平面図である。そして、実施例４の発明は、電極の設置位置を変更できるようにした構成が、前記実施例１と異なるだけで、それ以外は同じなので同一作用効果を奏する部分には実施例１と同一符号を付して詳細な説明を省略し、異なる部分を中心に説明する。
【００２５】
４１は便座１１上に設けた電極１２の位置を、着座の位置ずれに対応して変更する位置可変手段で、一対のレ−ル間に電極１２を設けて便座１１の前後方向へ移動可能に構成している。電極１２は便座１１上の左右にそれぞれ前後に間隔を持って設けた４個で、排便等のため便座１１に着座した時に併せて体脂肪を測るため、測定者の臀部等が接触するように構成している。
【００２６】
以下実施例４の動作について説明する。体脂肪の測定方法は前記実施例１と同様に行われる。そして、この測定時に便座１１上に着座する測定者の臀部等の位置は、浅く座る人、深く座る人、皆それぞれバラツキがあって一定しないのが一般的である。このように測定者に着座の位置ずれが起きると、この電極１２と測定者の位置によって、体脂肪の測定に誤差が生じる。然るに、この発明の各電極１２は位置可変手段４１により便座１１上の前後方向へ移動可能に配置しているので、位置可変手段４１で各電極１２の位置を測定者の着座位置に合わせて設定して前記の位置ずれを吸収し、電極１２に人体の所定位置を確実に触れさせることができる。従って、測定者の着座の位置ずれがあっても測定誤差の少ない安定して体脂肪の測定をすることができる。
【００２７】
なお、前記実施例では位置可変手段４１として、一対のレ−ルを使用したが、電極の位置を変更できるものであれば、これに限定されるものではない。
【００２８】
【発明の効果】
本発明の請求項１に記載した発明は、便座上の測定者の臀部等が接触する位置に設けた複数の電極と、この電極間のインピ−ダンスを測定するインピ−ダンス検知手段と、このインピ−ダンス検知手段からの信号により体脂肪を演算する体脂肪換算手段と、この体脂肪換算手段の信号により体脂肪を表示する表示手段と、前記便座を加熱する便座加熱ヒ−タとを備え、前記電極は前記便座加熱ヒ−タと熱結合したものであるから、着座時に電極による冷たい不快感を少なくして快適な体脂肪の測定ができる。
【００２９】
また請求項２に記載した発明は、電極を帯状に形成したものであるから、測定者が着座の位置ずれを起こしても、これを吸収し安定した計測を実現できる。
【００３０】
また請求項３に記載した発明は、角度をつけて電極を便座上に配置したものであるから、測定者が着座の位置ずれを起こしても、これを吸収し安定した計測を実現できる。
【００３１】
また請求項４に記載した発明は、電極の位置を変更できる位置可変手段を設けたものであるから、測定者の着座に合った電極位置に設定でき、誤差の少ない安定した計測を実現できる。
【図面の簡単な説明】
【図１】  本発明便座の実施例１における便座を示すブロック図
【図２】  同実施例２における便座の平面図
【図３】  同実施例３における便座の平面図
【図４】  同実施例４における便座の平面図
【図５】  従来例の体脂肪計の構成を示すブロック図
【符号の説明】
１１  便座
１２、２１、３１  電極
１３  インピ−ダンス検知手段
１４  体脂肪換算手段
１５  表示手段
１６  便座加熱ヒ−タ
４１  位置可変手段
【図１】
0004051796.tif 000002
【図２】
0004051796.tif 000003
【図３】
0004051796.tif 000004
【図４】
0004051796.tif 000005
【図５】
0004051796.tif 000006